(57)【要約】【課題】高速道路走行時に、高速道路上にある所望の種類の要素施設に関する情報を簡単な操作で出力するナビゲーション装置、方法及びプログラムを提供すること。【解決手段】地図等の表示モードには、一般道やファミリーレストランやコンビニエンスストアなどの施設を表示する表示モードのほかに、ハイウエイモードがある。後者のハイウエイモードは、高速道路と高速道路上の施設を表示する所定の高速道路用表示モードであり、高速道路が認識しやすいように高速道路を主体としたシンプルな地図と、動画を組み合わせたものである。検索出力部４５は、上記のようなハイウエイモードにおいて、高速道路の前途にある所望の種類の要素施設の施設情報を、与えられる所定の操作に応じて前記データから所定数検索及び出力する。【選択図】  図１
2004354260.tif 000002
【特許請求の範囲】
【請求項１】
予め用意された道路地図及び施設のデータに基づいて、現在地表示及び目的地への経路の探索及び誘導案内を行うナビゲーション装置であって、
現在地が高速道路上にある場合において、高速道路の前途にある前記施設に含まれる所望の種類の要素施設の施設情報を、与えられる所定の操作に応じて前記データから所定数検索及び出力する検索出力手段を備えたことを特徴とするナビゲーション装置。
【請求項２】
前記検索出力手段は、目的地までの経路が設定されている場合には、高速道路から降りる地点までに存在する前記要素施設の施設情報のみを、前記検索及び出力の対象とするように構成されたことを特徴とする請求項１記載のナビゲーション装置。
【請求項３】
複数種類の前記要素施設のなかから前記検索及び出力の対象について選択を受け付ける手段を備えたことを特徴とする請求項１又は２記載のナビゲーション装置。
【請求項４】
予め用意された道路地図及び施設のデータに基づいて、現在地表示及び目的地への経路の探索及び誘導案内を行うナビゲーション方法であって、
現在地が高速道路上にある場合において、高速道路の前途にある前記施設に含まれる所望の種類の要素施設の施設情報を、与えられる所定の操作に応じて前記データから所定数検索及び出力する検索出力処理を含むことを特徴とするナビゲーション方法。
【請求項５】
前記検索出力処理は、目的地までの経路が設定されている場合には、高速道路から降りる地点までに存在する前記要素施設の施設情報のみを、前記検索及び出力の対象とすることを特徴とする請求項４記載のナビゲーション方法。
【請求項６】
複数種類の前記要素施設のなかから前記検索及び出力の対象について選択を受け付ける処理を含むことを特徴とする請求項４又は５記載のナビゲーション方法。
【請求項７】
コンピュータを制御することにより、予め用意された道路地図及び施設のデータに基づいて現在地表示及び目的地への経路の探索及び誘導案内を行うナビゲーションプログラムであって、
そのプログラムは前記コンピュータに、
現在地が高速道路上にある場合において、高速道路の前途にある前記施設に含まれる所望の種類の要素施設の施設情報を、与えられる所定の操作に応じて前記データから所定数検索及び出力させる検索出力処理を行わせることを特徴とするナビゲーションプログラム。
【請求項８】
前記プログラムは前記コンピュータに、
前記検索出力処理において、目的地までの経路が設定されている場合には、高速道路から降りる地点までに存在する前記要素施設の施設情報のみを、前記検索及び出力の対象とさせることを特徴とする請求項７記載のナビゲーションプログラム。
【請求項９】
前記プログラムは前記コンピュータに、
複数種類の前記要素施設のなかから前記検索及び出力の対象について選択を受け付けさせることを特徴とする請求項７又は８記載のナビゲーションプログラム。
【発明の詳細な説明】
【０００１】
【発明の属する技術分野】
本発明は、高速道路走行時に、高速道路上にある所望の種類の要素施設に関する情報を簡単な操作で出力するナビゲーション装置、方法及びプログラムにかかわるものである。
【０００２】
【従来の技術】
近年、自動車及びデジタル技術とともに、ナビゲーションの技術が急速に普及した。ナビゲーションは、地図データを利用する車載装置が、ＧＰＳ等で自車位置を逐次検出し周辺地図上に画面表示したり、指定された目的地への最適な誘導経路にそって進行方向等を画面表示や音声合成などで誘導案内するものである。
【０００３】
従来のナビゲーション装置では、高速道路走行時用の地図表示態様としていわゆる「ハイウエイモード」があり、このモードでは、自車位置周辺のパーキングエリア、サービスエリア、インターチェンジ等の情報が並べて表示され、その表示をスクロールすることにより更に先の情報を見ることができる（例えば、特許文献１参照）。
【０００４】
なお、本出願において「高速道路」とは、「自動車専用道路」といった道路の呼び名や規格にかかわらず、一般道、歩道、或いは、民家等の敷地と隔離され自由な停車の制限される所定構成の道路を広く意味する。
【０００５】
【特許文献１】
特開２０００−３３７８９６
【０００６】
【発明が解決しようとする課題】
ところで、快適なドライブのためには、食事、トイレ、休憩、給油、買い物、電話等のための立ち寄りを適切に確保することが重要である。特に、高速道路では一般道と比べて、これらの立ち寄りはパーキングエリアなど所定の施設に限定されるため制約が多く、より計画性が必要である。
【０００７】
しかも、パーキングエリアやサービスエリアといった各施設は、ガソリンスタンドやレストランといった要素となる施設（本出願において要素施設と呼ぶ）のうち、どの種類のものを備えているかが個別具体的に異なる。このため、例えば給油や食事が必要な場合は、そのため必要な要素施設がこれから進んでいく前途の施設のなかでどこにあるかの判断が必要である。
【０００８】
しかしながら、上記のような従来技術では、高速道路走行中に近くのガソリンスタンド、或いは、レストランといった所望の施設を探す場合、それが表示されている範囲内に無ければ延々と表示をスクロールさせる操作を行ったり目視で探さねばならず、操作性に劣る問題点があった。
【０００９】
本発明は、上記のような課題を解決するもので、その目的は、高速道路走行時に、高速道路上にある所望の種類の要素施設に関する情報を簡単な操作で出力するナビゲーション装置、方法及びプログラムを提供することにある。
【００１０】
【課題を解決するための手段】
上記の目的、或いは、これから開示する各目的効果に対応し、本発明は以下のようなものである。まず、請求項１の発明は、予め用意された道路地図及び施設のデータに基づいて、現在地表示及び目的地への経路の探索及び誘導案内を行うナビゲーション装置であって、現在地が高速道路上にある場合において、高速道路の前途にある前記施設に含まれる所望の種類の要素施設の施設情報を、与えられる所定の操作に応じて前記データから所定数検索及び出力する検索出力手段を備えたことを特徴とする。
【００１１】
請求項４の発明は、請求項１の発明を方法という見方から捉えたもので、予め用意された道路地図及び施設のデータに基づいて、現在地表示及び目的地への経路の探索及び誘導案内を行うナビゲーション方法であって、現在地が高速道路上にある場合において、高速道路の前途にある前記施設に含まれる所望の種類の要素施設の施設情報を、与えられる所定の操作に応じて前記データから所定数検索及び出力する検索出力処理を含むことを特徴とする。
【００１２】
請求項７の発明は、請求項１，４の発明をコンピュータのプログラムという見方から捉えたもので、コンピュータを制御することにより、予め用意された道路地図及び施設のデータに基づいて現在地表示及び目的地への経路の探索及び誘導案内を行うナビゲーションプログラムであって、そのプログラムは前記コンピュータに、現在地が高速道路上にある場合において、高速道路の前途にある前記施設に含まれる所望の種類の要素施設の施設情報を、与えられる所定の操作に応じて前記データから所定数検索及び出力させる検索出力処理を行わせることを特徴とする。
【００１３】
これらの態様では、現在地が高速道路上にある場合において、情報キーを押すなど所定の簡単な操作をするだけで、高速道路上で且つ進行方向の前途にあるサービスエリア（ＳＡ）或いはパーキングエリア（ＰＡ）内のガソリンスタンドやレストランといった所定の種類の要素施設の施設情報を、現在地から近い順に２つや３つといった所定数検索し、画面表示や合成音声などにより出力する。このようにして、高速道路走行時に、高速道路上にある所望の種類の要素施設に関する情報を簡単な操作で出力することが可能となる。
【００１４】
請求項２の発明は、請求項１記載のナビゲーション装置において、前記検索出力手段は、目的地までの経路が設定されている場合には、高速道路から降りる地点までに存在する前記要素施設の施設情報のみを、前記検索及び出力の対象とするように構成されたことを特徴とする。
【００１５】
請求項５の発明は、請求項２の発明を方法という見方から捉えたもので、請求項４記載のナビゲーション方法において、前記検索出力処理は、目的地までの経路が設定されている場合には、高速道路から降りる地点までに存在する前記要素施設の施設情報のみを、前記検索及び出力の対象とすることを特徴とする。
【００１６】
請求項８の発明は、請求項２，５の発明をコンピュータのプログラムという見方から捉えたもので、請求項７記載のナビゲーションプログラムにおいて、前記プログラムは前記コンピュータに、前記検索出力処理において、目的地までの経路が設定されている場合には、高速道路から降りる地点までに存在する前記要素施設の施設情報のみを、前記検索及び出力の対象とさせることを特徴とする。
【００１７】
これらの態様では、検索対象を高速道路のうち実際に走行予定の範囲に限定するので、降りる地点より先の施設に立ち寄るつもりになる問題が回避され、優れた使い勝手が確保される。
【００１８】
請求項３の発明は、請求項１又は２記載のナビゲーション装置において、複数種類の前記要素施設のなかから前記検索及び出力の対象について選択を受け付ける手段を備えたことを特徴とする。
【００１９】
請求項６の発明は、請求項３の発明を方法という見方から捉えたもので、請求項４又は５記載のナビゲーション方法において、複数種類の前記要素施設のなかから前記検索及び出力の対象について選択を受け付ける処理を含むことを特徴とする。
【００２０】
請求項９の発明は、請求項３，６の発明をコンピュータのプログラムという見方から捉えたもので、請求項７又は８記載のナビゲーションプログラムにおいて、前記プログラムは前記コンピュータに、複数種類の前記要素施設のなかから前記検索及び出力の対象について選択を受け付けさせることを特徴とする。
【００２１】
これらの態様では、検索対象とする要素施設について種類等の条件をユーザーが任意に設定可能となるので、より需要に合った無駄のない情報出力が可能となる。
【００２２】
【発明の実施の形態】
次に、本発明の実施の形態（以下「実施形態」と呼ぶ）について図面を参照して具体的に説明する。なお、本実施形態は、周辺装置を備えたコンピュータをプログラムで制御することで実現できるが、この場合のハードウェアやプログラムの実現態様は各種変更可能である。また、本発明は、ナビゲーション装置及び方法に加え、上記のようなプログラム、そのようなプログラムを記録したコンピュータ読取可能な記憶媒体としても把握できる。したがって、以下の説明では、本発明及び本実施形態の各機能を実現する仮想的回路ブロックを用いる。
【００２３】
〔１．構成〕
〔１−１．全体構成〕
まず、本実施形態におけるナビゲーション装置（以下「本装置」と呼ぶ）は、予め用意された道路地図及び施設に関する道路地図データに基づいて、現在地表示及び目的地への経路の探索及び誘導案内を行うナビゲーション装置であり、図１の機能ブロック図に示す下記の各要素を備えている。
【００２４】
すなわち、絶対位置・方位検出部１は、本装置が搭載された自動車（自車と呼ぶ）の現在位置すなわち自車位置について、地表での絶対的な位置座標や方位を計算するために、例えば、ＧＰＳ衛星から送られてくるＧＰＳ電波をアンテナやレシーバなどで受信するための部分である。また、相対方位検出部２は、ジャイロなどを使って自車の相対的な方位を検出するための部分である。また、車速検出部３は、自動車より得られる車速パルスを処理することで自車の速度を計算する部分である。
【００２５】
また、メインＣＰＵ及びその周辺回路４は、本装置全体を制御する制御回路の役割を果たす部分である。また、メモリ群Ｍは、本装置の動作に必要な各種のメモリで、例えば、プログラム格納用のＲＯＭ５は本装置の起動時にメインＣＰＵによりアクセスされる。また、ワークエリアなどを提供するダイナミックＲＡＭ（ＤＲＡＭ）６にはメインプログラムがロードされる。また、ＳＲＡＭ（スタティックＲＡＭ）７は、設定や地図データを含む情報を記憶する記憶手段であり、メイン電源がオフになっている間もバッテリーバックアップされ、オンになったときにメモリ内容を提供するが、フラッシュメモリやハードディスクドライブなど、他の記憶手段によっても置換可能である。また、表示用のＶＲＡＭ（ビデオＲＡＭ）８は表示部１０に表示すべき画像のビットマップデータを格納する。
【００２６】
また、表示部１０は、地図や操作メニューなど各種の情報を、図示しない液晶表示画面に表示する部分であり、音声合成との併用が望ましい。また、入力部１１は、ユーザがスイッチなどから命令などの情報を入力するための部分であり、タッチセンサ機能、リモコンユニット、赤外線送受信ユニットなどを備えるが、タッチパネルとして表示部１０と一体に構成することが望ましい。また、ユーザインタフェース部９は、Ｉ／Ｏ制御回路やデバイスドライバなどを使って、表示部１０及び入力部１１と、メインＣＰＵ及びその周辺回路４とを結ぶユーザインタフェースである。また、ＣＤ／ＤＶＤ−ＲＯＭ制御部１２は、ＣＤ−ＲＯＭやＤＶＤ−ＲＯＭに記録されたナビゲーションプログラムなど各種データをデータベースから読み出す手段である。
【００２７】
また、ＦＭ多重受信及び処理部１３は、ＦＭ放送波を受信しこの放送波からＶＩＣＳサービスの交通情報など所望のデータを取り出す処理を行う部分であり、交通情報は渋滞情報を含む。また、光／ビーコン受信及び処理部１４は、路肩などに設置された光ビーコンや電波ビーコンから、各ビーコンの識別情報やＶＩＣＳサービスの交通情報などの情報を受信及び処理する部分である。また、音声認識部１５は、入力されるユーザの発声から命令語などの単語を認識する部分である。
【００２８】
〔１−２．メインＣＰＵ及びその周辺回路の役割〕
さらに、メインＣＰＵ及びその周辺回路４は、上記のようなプログラムの作用によって、図１に示す下記の各部分としての役割を実現するように構成されている。すなわち、現在位置検出部４０は、自車位置を逐次計算するための手段であり、具体的には、ＧＰＳ航法測位と自律航法測位とを組み合わせることで自車位置を計算するように構成される。
【００２９】
ここで、ＧＰＳ航法測位は、人工衛星からの電波に基づいて絶対位置・方位検出部１で得られる情報を使って現在位置を計算するものである。また、自律航法測位は、地磁気及び自車の速度に基づいて相対方位検出部２及び車速検出部３から得られる情報を使って現在位置を計算するものである。
【００３０】
また、目的地指定部４１は、前記道路地図データを記録したデータベースからの施設検索や地図上でのカーソル指定などにより目的地の入力を受け付ける手段であり、経路設定部４２は、入力された目的地までの経路を、前記道路地図データに基いて計算し又は所定のサーバへ通信経由で計算を委託して、結果として得られた経路を設定する手段である。
【００３１】
また、地図表示部４３は、算出された前記車両位置及び前記道路地図データに基づいて、周辺の地図上における自車位置と、前記経路の少なくとも一部とを表示部１０に三次元表示又は他の態様で表示する手段であり、案内制御部４４は、経路のうち表示する部分や点滅強調などの要素を決めたり、合成音声の併用などにより誘導案内を制御する手段である。また、検索出力部４５は、上記のようなプログラムの作用により、後述するように作用する手段として構成される。
【００３２】
〔２．作用〕
〔２−１．ハイウエイモード〕
まず、本実施形態において、地図等の表示モードには、一般道やファミリーレストランやコンビニエンスストアなどの施設を表示する一般道用の表示モードのほかに、ハイウエイモードがある。後者のハイウエイモードは、高速道路と高速道路上の施設を表示する所定の高速道路用表示モードであり、図２に示すように、高速道路が認識しやすいように高速道路を主体としたシンプルな地図と、動画を組み合わせたものである。なお、本実施形態における図２のような表示画面は、タッチパネルを用いて、各部分をタッチすることでそれぞれ所定の処理が行われるようにすることが望ましい。
【００３３】
上記のようなハイウエイモードでは、地図の背景で高速道路走行などをイメージした動画像（ムービー）を表示する。ムービーは、例えば、図３に例示するような背景ビットマップ（例えば２２６×１００ドット）上で、図４に例示するような点画原画（１１３×５０ドット、１５色）をフレーム切替して動かす。点画については、例えば１ドットずつの隙間が開いたものを使用した動画再生も可能である。また、ムービー部分以外の地図の背景は、ビットマップを使わず例えば所定の一色で塗りつぶしてよい。
【００３４】
このような背景上に表示される地図は、例えば、１．５ｋｍ等にスケールを固定し、向きはヘッドアップ（進行方向が上方）の表示とする。横長のディスプレイを左右２画面に分けて使い、地図表示エリアは例えば左半分とするなどが考えられるが、具体的には自由である。
【００３５】
また、ハイウエイモードにおける地図は、国道等の一般道や敷地は表示せず、例えば以下の内容に限定する。まず、本実施形態特有の要素としては、所定の色とドット数幅による高速道路、所定の色による水辺、黄色など所定の色による直近施設アイコン、所定の字体・大きさ・色の文字による住所の表示などが考えられる。また、一般地図に準じて表示する要素として、自車マーク、ルート（設定されている誘導経路）、赤い点線による目的地方向、目的地を示すチェッカーフラッグ状等の旗などが考えられる。
【００３６】
このようなハイウエイモードでは、画面の例えば右側には、図２に例示するように、インターチェンジ（ＩＣ）、パーキングエリア（ＰＡ）、サービスエリア（ＳＡ）、ジャンクション（ＪＣ）といった各要素をリスト表示してもよい。図２のリスト表示は６項目であり、直近の施設が下になるよう配置されている。この場合、項目数が６個に満たない分は、上からリストの背景は残したままで項目だけを表示しないような形態でよい。また、リストの左側の縦長のバーは、高速走行距離を示す表示で、出口までの距離を水色や白など所定の色で表し、例えば出口に近づくにつれ、走行済みを示す赤いバーの割合が増大するなどの例が考えられる。
【００３７】
〔２−２．ハイウエイモード中の情報画面〕
ハイウエイモードで高速道路走行中に所定の施設に近づくと、図５に示すように、直近の施設情報（ＳＡ，ＰＡ等）が表示される。その表示タイミングは分岐案内と同じタイミングでよい。この施設情報では、施設に含まれる可能性のある数種の要素施設ごとの有無がアイコンで表示される。
【００３８】
要素施設の例としては、給油所、トイレ、身障者用トイレ、郵便ポスト、ファックス設備、情報案内コーナー、休憩用ベンチ、仮眠施設、遊戯具、入浴施設、キャッシュディスペンサー（現金自動預け払い機）など自由であるが、それぞれ特有の図形、企業ロゴ等のランドマークといった画面表示要素で表し、例えば、ある要素施設があるときは緑アイコン表示、施設が無いときは墨抜き状のグレーアイコン表示のように区別する。
【００３９】
〔２−３．要素施設の情報出力〕
次に、検索出力部４５は、前記検索出力手段として、現在地が高速道路上にある場合において、高速道路の前途にある所望の種類の要素施設の施設情報を、与えられる所定の操作に応じて前記道路地図データから所定数検索及び出力する。このような要素施設の情報出力を行う処理を情報ピックアップ処理と呼ぶ。なお、現在地が高速道路上にあるか否かについては、例えば上記のようなハイウエイモードであるかどうかに基づいて判断することもできるが、ハイウエイモードの表示機能は必須ではない。したがって、その代りに、高速道路とのマップマッチングの成否、路側ビーコンからの識別情報、或いは、ランプ傾斜での登坂や下降、その他の情報に基いて高速道路上か否か判断する態様も本発明の範囲内である。
【００４０】
例えば、本装置のタッチパネル式画面に表示された所定のメニューキーを操作すると、図６下方に示されるような「行き先」「自宅」「現在地」…「情報ｉ」といった各キーが現れ、この中の「情報ｉキー」を操作すると、図６上方に示すような所望の種類の要素施設の情報を表示する情報ピックアップ処理が実行される。
【００４１】
典型的には、図７のフローチャートに示すように、ツールバーやリモコンの情報キーを押すなど（ステップ１）所定の操作を行うと、現在地がハイウエイ上であれば（ステップ２）、所望の種類の要素施設に関する施設情報として、直近（例えば２つ先まで）のガソリンスタンドとレストランの情報を検索して（ステップ４）表示し（ステップ５）、もう一度情報キーを押すと（ステップ６）表示が終了する（ステップ７）。
【００４２】
この場合の各要素施設に関するマーク等の表示態様は自由であり、例えばガソリンスタンドの場合、企業ロゴ等のランドマークがあれば、白背景にそのようなランドマークを重ねて表示してもよいし、そのようなランドマークが無いときは、所定図形の緑色アイコンを表示する。例えば、図８は、ガソリンスタンドを表すマークの例で、左から、ランドマークがある場合、ランドマークがない場合、ガソリンスタンドが無い場合の例である。
【００４３】
〔２−４．情報の例〕
ところで、情報を表示すべき種類ごとの要素施設、例えばガソリンスタンドとレストランは、必ずしも常に同じサービスエリアやパーキングエリアに並存するとは限らない。例えば、図９に示すように、サービスエリアＡにはガソリンスタンドａとレストランｂが両方あるが、サービスエリアＢにはレストランｂのみ、サービスエリアＣにはガソリンスタンドｃのみがあるような場合も考えられる。このような場合、各種類の要素施設ごとの２件ずつの情報としては、図１０に示すように、ガソリンスタンドとしてはサービスエリアＡのガソリンスタンドａとサービスエリアＣのガソリンスタンドｃ、レストランとしてはサービスエリアＡのレストランａとサービスエリアＢのレストランｂが、それぞれ表示内容となる。
【００４４】
これによりユーザは、「ガソリンスタンドは、サービスエリアＡの次は２つ後のＣまで無いので、余裕をもって早めに給油しよう。」とか「レストランならサービスエリアＡが満杯でも次のＢにもあるな。」といった具合に、目当ての要素施設の種類に応じた判断が容易になる。
【００４５】
〔２−５．他の表示〕
なお、ハイウエイモードでは、複数種類の動画パターンを状況に応じて表示再生してよい。例えば、ハイウエイモードの開始や終了、分岐案内の開始予告、インターチェンジ、ジャンクション、サービスエリア、パーキングエリア等を通過したことの報知など、出来事の種類によって異なる動画パターンを表示すれば変化に富んだ興味深い表示効果により情報を明確に利用者へ伝達できる。
【００４６】
具体的な動画パターンの内容はもちろん自由であり、一例として、あるパターン等の形について中心位置を固定とし、その形を構成する各画素の隙間を、３ドット隙間→２ドット隙間→１ドット隙間→隙間ナシ、のように変化させれば上下左右から縮小してゆく様子を、逆に、隙間ナシ→１ドット隙間→２ドット隙間→３ドット隙間、のように変化させれば上下左右へ拡大する様子を、それぞれ共通要素のある単純なアルゴリズムで表示できる効果がある。
【００４７】
また、動画表示有りと動画表示無しの設定をユーザに選択させたり、通常走行時（例えば３０ｋｍ／ｈ以上）と、渋滞走行時（例えば３０ｋｍ／ｈ未満）とで異なった動画パターンを表示すれば、よりきめ細かな表示のバリエーションが実現され、それらを所定の操作で確認できるようにしてもよい。
【００４８】
〔３．効果〕
以上のように、本実施形態では、現在地が高速道路上にある場合において、情報キーを押すなど所定の簡単な操作をするだけで、高速道路上で且つ進行方向の前途にあるサービスエリア（ＳＡ）或いはパーキングエリア（ＰＡ）内のガソリンスタンドやレストランその他、所望の種類の要素施設を、現在地から近い順に所定数検索し、画面表示や合成音声などにより出力する。このようにして、高速道路走行時に、高速道路上にある所望の要素施設を簡単な操作で出力することが可能となる。
【００４９】
〔４．他の実施形態〕
なお、本発明は上記実施形態に限定されるものではなく、次に例示するような他の実施形態も含むものである。例えば、所望の種類の要素施設を検索及び出力する数は、２つや３つには限定されず、１つや４つ以上でもよい。また、図７のフローチャートでは、「ガソリンスタンド、レストラン情報を表示」（ステップ５）の後に「情報キー押下」が検出された場合に（ステップ６）情報表示を終了するようにしているが（ステップ７）、例えば、車両の移動により直近だったジャンクションが後方となりその次のジャンクションが直近に変化したような場合に、情報表示を終了させるようにしても良い。また、情報表示を開始してから所定時間が経過した場合に、自動的に情報表示を終了するようにしても良い。
【００５０】
また、検索出力部４５は、目的地までの経路が設定されている場合には、高速道路から降りる地点までに存在する前記要素施設の施設情報のみを、前記検索及び出力の対象とするように構成してもよい。このように、検索対象を高速道路のうち実際に走行予定の範囲に限定すれば、降りる地点より先の施設に立ち寄るつもりになる問題が回避され、優れた使い勝手が確保される。
【００５１】
また、上記実施形態では、情報キー押下により直近２つずつのガソリンスタンドとレストランが検索出力される例を示したが、例えば、複数種類の要素施設のなかから前記検索及び出力の対象について、要素施設の種類ごとにオンオフするなどの画面操作により、何を検索出力するかの選択を受け付ける手段を備えてもよい。このようにすれば、検索対象とする要素施設について種類等の条件をユーザーが任意に設定可能となるので、より需要に合った無駄のない情報出力が可能となる。
【００５２】
【発明の効果】
以上のように、この発明によれば、高速道路走行時に、高速道路上にある所望の種類の要素施設に関する情報を簡単な操作で出力するナビゲーション装置、方法及びプログラムを提供することができる。
【図面の簡単な説明】
【図１】本発明の実施形態の構成を示す機能ブロック図。
【図２】本発明の実施形態におけるハイウエイモードの表示例を示す図。
【図３】本発明の実施形態におけるハイウエイモードで用いる背景の一例を示す図。
【図４】本発明の実施形態における動画表示に用いる点画原画を例示する図。
【図５】本発明の実施形態における直近の施設に関する表示例を示す図。
【図６】本発明の実施形態における要素施設に関する表示例を示す図。
【図７】本発明の実施形態における処理手順を示すフローチャート。
【図８】本発明の実施形態における表示に用いるマークの例を示す図。
【図９】本発明の実施形態における自車位置と各サービスエリアの位置関係を例示する図。
【図１０】本発明の実施形態における要素施設に関する情報の例を示す図。
【符号の説明】
１…絶対位置・方位検出部
２…相対方位検出部
３…車速検出部
４…メインＣＰＵ及びその周辺回路
５…ＲＯＭ
６…ＤＲＡＭ
７…ＳＲＡＭ
８…ＶＲＡＭ
９…ユーザインタフェース部
１０…表示部
１１…入力部
１２…ＣＤ／ＤＶＤ−ＲＯＭ制御部
１３…ＦＭ多重受信及び処理部
１４…光／ビーコン受信及び処理部
１５…音声認識部
４０…現在位置検出部
４１…目的地指定部
４２…経路設定部
４３…地図表示部
４４…案内制御部
４５…検索出力部
Ｍ…メモリ群
【図１】
2004354260.tif 000003
【図２】
2004354260.tif 000004
【図３】
2004354260.tif 000005
【図４】
2004354260.tif 000006
【図５】
2004354260.tif 000007
【図６】
2004354260.tif 000008
【図７】
2004354260.tif 000009
【図８】
2004354260.tif 000010
【図９】
2004354260.tif 000011
【図１０】
2004354260.tif 000012